(57)【要約】【課題】低消費電力化および待ち受け時間の長時間化を図るとともに、スケジュールに関係する重要な通信の逸機を抑制する移動通信端末装置を提供する。【解決手段】音声通話などの通信を行う通信手段と、電池残量を検知する検知手段と、使用者がスケジュールを登録することができるスケジューラと、個々の通信相手毎に優先順位を表すプライオリティ情報を登録することができる電話帳と、前記プライオリティ情報を前記スケジューラに登録されている使用者のスケジュールと現在時刻とに基づいて更新するプライオリティ情報更新手段と、前記プライオリティ情報と電池残量に基づいて、通信相手毎に通信制限を行う通信制限手段と、を備えることにより、電池残量が低下している場合には、スケジュールに関係のない通信相手との通信を抑制する制御を行う。【選択図】図１
2010263537.tif 000002
【特許請求の範囲】
【請求項１】
音声通話などの通信を行う通信手段と、
電池残量を検知する検知手段と、
使用者がスケジュールを登録することができるスケジューラと、
個々の通信相手毎に優先順位を表すプライオリティ情報を登録することができる電話帳と、
前記プライオリティ情報を前記スケジューラに登録されている使用者のスケジュールと現在時刻とに基づいて更新するプライオリティ情報更新手段と、
前記プライオリティ情報と電池残量に基づいて、通信相手毎に通信制限を行う通信制限手段と、
を備えたことを特徴とする移動通信端末装置。
【請求項２】
音声通話などの通信を行う通信手段と、電池残量を検知する検知手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサは、前記スケジューラに登録されている使用者のスケジュールと現在時刻に基づいて、前記プライオリティ情報を適時動的に更新するとともに、前記プライオリティ情報と電池残量に基づいて、通信相手毎に通信制限を行う制御手段を備えたことを特徴とする移動通信端末装置。
【請求項３】
音声通話などの通信を行う通信手段と、電池残量を検知する検知手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサは、前記スケジューラに登録されている使用者のスケジュールと現在時刻に基づいて、前記プライオリティ情報を適時動的に更新するとともに、前記プライオリティ情報と電池残量に基づいて、通信相手毎に通信制限を行う制御を行うように前記マイクロプロセッサを機能させるプログラムを記憶するプログラム記憶部を備えることを特徴とする移動通信端末装置。
【請求項４】
音声通話などの通信を行う通信手段と、電池残量を検知する検知手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサを、前記スケジューラに登録されている使用者のスケジュールと現在時刻に基づいて、前記プライオリティ情報を適時動的に更新する手段、前記プライオリティ情報と電池残量に基づいて、通信相手毎に通信制限を行う制御を行う手段、として機能させるための通信制限プログラム。
【請求項５】
音声通話などの通信を行う通信手段と、電池残量を検知する検知手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサを、前記スケジューラに登録されている使用者のスケジュールと現在時刻に基づいて、前記プライオリティ情報を適時動的に更新する手段、前記プライオリティ情報と電池残量に基づいて、通信相手毎に通信制限を行う制御を行う手段、として機能させるための通信制限プログラムを記憶するプログラム記憶装置。
【請求項６】
前記プライオリティ情報更新手段は、登録されているスケジュールの開始時刻に近づくにつれて、そのスケジュールに関連する通信相手のプライオリティを高めるように情報を変更し、更新することを特徴とする請求項１に記載の移動通信端末装置。
【請求項７】
前記プライオリティ情報更新手段は、登録されているスケジュールの終了時刻が過ぎた時点から、そのスケジュールに関連する通信相手のプライオリティを低めるように情報を変更し、更新することを特徴とする請求項１に記載の移動通信端末装置。
【請求項８】
前記通信制限手段は、通信相手のプライオリティ情報と電池残量とから予め定めた一義的な対応措置に基づいて、当該通信相手からの着信、あるいは当該通信相手への発信を禁止することを特徴とする請求項１に記載の移動通信端末装置。
【請求項９】
音声通話などの通信を行う通信手段と、電池残量を検知する手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置の通信制限方法において、前記マイクロプロセッサが、前記スケジューラに登録されている使用者のスケジュールと現在時刻に基づいて、前記プライオリティ情報を適時動的に更新するステップと、前記プライオリティ情報と電池残量に基づいて、通信相手毎に通信制限を行うステップと、を備えたことを特徴とする通信制限方法。
【請求項１０】
個々の通信相手毎に少なくとも電話番号と通信における優先順位を表すプライオリティ情報を登録することができる移動通信端末装置の電話帳の更新方法において、現在時刻がスケジューラに登録されている使用者のスケジュールの開始時刻に近づくにつれて、そのスケジュールに関連する通信相手のプライオリティを高めるように、適時動的に情報を更新するステップを備えることを特徴とする電話帳の更新方法
【請求項１１】
個々の通信相手毎に少なくとも電話番号と通信における優先順位を表すプライオリティ情報を登録することができる移動通信端末装置の電話帳の更新方法において、現在時刻がスケジューラに登録されている使用者のスケジュールの終了時刻が過ぎた時点から、そのスケジュールに関連する通信相手のプライオリティを低めるように、適時動的に情報を更新するステップを備えることを特徴とする電話帳の更新方法
【発明の詳細な説明】
【技術分野】
【０００１】
本発明は、電話帳とスケジューラ機能を備えた携帯電話等の移動通信端末装置に関するものである。また、通信制限プログラム、プログラム記憶装置、通信制限方法および電話帳の更新方法に関するものである。
【背景技術】
【０００２】
従来、携帯電話機等の移動通信端末装置には、電話帳やスケジューラ機能が備えられており、電話帳においては複数の通信相手の名前、電話番号、電子メールアドレスなどをはじめとする個々の情報を、スケジューラに関しては、日時、時間ごとのスケジュールを、使用者がそれぞれ内蔵メモリに格納し管理できるように構成されているのが一般的である。（例えば特許文献１および特許文献２）
一方、迷惑電話の対策として、特定の電話番号や電子メールアドレスを予め電話帳の特定グループに登録、設定することによる通信制限機能もまた一般的である。（例えば特許文献３）
【先行技術文献】
【特許文献】
【０００３】
【特許文献１】特開２０００−３５０２４４号公報
【特許文献２】特開２００４−３５６９０５号公報
【特許文献３】特開２０００−３１２２５６号公報
【発明の概要】
【発明が解決しようとする課題】
【０００４】
しかしながら、従来の電話帳、スケジューラおよび通信制限機能は独立した機能として構成されており、消費電力に問題があった。
【０００５】
本発明の目的は、電話帳、スケジューラおよび通信制限機能を連動させることで、適時、動的に特定の通信相手に対して通信制限を行うように構成し、スケジュールに関連のない通信相手との通信を抑制する制御を行うことで、低消費電力化および待ち受け時間の長時間化を図るとともに、スケジュールに関係する重要な通信の逸機を抑制することにある。
【課題を解決するための手段】
【０００６】
本発明の請求項１に記載の移動通信端末装置は、音声通話などの通信を行う通信手段と、電池残量を検知する検出手段と、使用者がスケジュールを登録することができるスケジューラと、個々の通信相手毎に優先順位を表すプライオリティ情報を登録することができる電話帳と、前記プライオリティ情報を前記スケジューラに登録されている使用者のスケジュールと現在時刻とに基づいて更新するプライオリティ情報更新手段と、前記プライオリティ情報と電池残量に基づいて、通信相手毎に通信制限を行う通信制限手段と、を備えた構成としている。
【０００７】
この構成により、電池残量が低下している場合には、スケジュールに関連のない通信相手との通信を抑制する制御を行うことで、低消費電力化および待ち受け時間の長時間化を図るとともに、スケジュールに関係する重要な通信の逸機を抑制することができる。
【０００８】
本発明の請求項２に記載の移動通信端末装置は、音声通話などの通信を行う通信手段と、電池残量を検知する手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサは、前記スケジューラに登録されている使用者のスケジュールと現在時刻に基づいて、前記プライオリティ情報を適時動的に更新するとともに、前記プライオリティ情報と電池残量に基づいて、通信相手毎に通信制限を行う制御手段を備えるという構成を有している。
【０００９】
この構成により、電池残量が低下している場合には、スケジュールに関連のない通信相手との通信を抑制する制御を行うことで、低消費電力化および待ち受け時間の長時間化を図るとともに、スケジュールに関係する重要な通信の逸機を抑制することができる。
【００１０】
本発明の請求項３に記載の移動通信端末装置は、音声通話などの通信を行う通信手段と、電池残量を検知する手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサは、前記スケジューラに登録されている使用者のスケジュールと現在時刻に基づいて、前記プライオリティ情報を適時動的に更新するとともに、前記プライオリティ情報と電池残量に基づいて、通信相手毎に通信制限を行う制御を行うように前記マイクロプロセッサを機能させるプログラムを記憶するプログラム記憶部を備えるという構成を有している。
【００１１】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【００１２】
本発明の請求項４に記載の通信制限プログラムは、音声通話などの通信を行う通信手段と、電池残量を検知する手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサを、前記スケジューラに登録されている使用者のスケジュールと現在時刻に基づいて、前記プライオリティ情報を適時動的に更新する手段、前記プライオリティ情報と電池残量に基づいて、通信相手毎に通信制限を行う制御を行う手段、として機能させるという構成である。
【００１３】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【００１４】
本発明の請求項５に記載のプログラム記憶装置は、音声通話などの通信を行う通信手段と、電池残量を検知する手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置において、前記マイクロプロセッサを、前記スケジューラに登録されている使用者のスケジュールと現在時刻に基づいて、前記プライオリティ情報を適時動的に更新する手段、前記プライオリティ情報と電池残量に基づいて、通信相手毎に通信制限を行う制御を行う手段、として機能させるための通信制限プログラムを記憶するという構成を有している。
【００１５】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【００１６】
本発明の請求項６に記載の移動通信端末装置は、前記電話帳に登録されるプライオリティ情報を、前記スケジューラに登録されている使用者のスケジュールと現在時刻に基づいて、適時動的に更新するプライオリティ情報更新手段は、登録されているスケジュールの開始時刻に近づくにつれて、そのスケジュールに関連する通信相手のプライオリティを高めるように情報を変更し、更新するという構成を有している。
【００１７】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【００１８】
本発明の請求項７に記載の移動通信端末装置は、前記電話帳に登録されるプライオリティ情報を、前記スケジューラに登録されている使用者のスケジュールと現在時刻に基づいて、適時動的に更新するプライオリティ情報更新手段は、登録されているスケジュールの終了時刻が過ぎた時点から、そのスケジュールに関連する通信相手のプライオリティを低めるように情報を変更し、更新するという構成を有している。
【００１９】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【００２０】
本発明の請求項８に記載の移動通信端末装置は、通信における優先順位を表すプライオリティ情報と電池残量に基づいて、通信相手毎に通信制限を行う前記通信制限手段は、通信相手のプライオリティ情報と電池残量とから予め定めた一義的な対応措置に基づいて、当該通信相手からの着信、あるいは当該通信相手への発信を禁止するという構成を有している。
【００２１】
この構成により、電池残量が低下している場合には、スケジュールに関係のない通信相手との通信を抑制するという制御をより簡素に行うことが可能となる。
【００２２】
本発明の請求項９に記載の通信制限方法は、音声通話などの通信を行う通信手段と、電池残量を検知する手段と、日時に対応させて使用者がスケジュールを登録することができるスケジューラと、個々の通信相手毎に少なくとも電話番号と通信における優先順位を表すプライオリティ情報を登録することができる電話帳と、内部回路の統括的な制御を行うマイクロプロセッサと、を備える移動通信端末装置の通信制限方法において、前記マイクロプロセッサが、前記スケジューラに登録されている使用者のスケジュールと現在時刻に基づいて、前記プライオリティ情報を適時動的に更新するステップと、前記プライオリティ情報と電池残量に基づいて、通信相手毎に通信制限を行うステップと、を備えるという構成を有している。
【００２３】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【００２４】
本発明の請求項１０に記載の電話帳の更新方法は、個々の通信相手毎に少なくとも電話番号と通信における優先順位を表すプライオリティ情報を登録することができる移動通信端末装置の電話帳の更新方法において、現在時刻がスケジューラに登録されている使用者のスケジュールの開始時刻に近づくにつれて、そのスケジュールに関連する通信相手のプライオリティ情報を高めるように、適時動的に更新するステップを備えるという構成を有している。
【００２５】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【００２６】
本発明の請求項１１に記載の電話帳の更新方法は、個々の通信相手毎に少なくとも電話番号と通信における優先順位を表すプライオリティ情報を登録することができる移動通信端末装置の電話帳の更新方法において、現在時刻がスケジューラに登録されている使用者のスケジュールの終了時刻が過ぎた時点から、そのスケジュールに関連する通信相手のプライオリティ情報を低めるように、適時動的に更新するステップを備えるという構成を有している。
【００２７】
この構成により、電池残量が低下している場合には、スケジュールに関係のない通信相手との通信を抑制する制御を行うことで、低消費電力化および待ち受け時間の長時間化を図るとともに、スケジュールに関係する重要な通信の逸機を抑制することができる。
【発明の効果】
【００２８】
本発明の移動通信端末装置、通信制限プログラム、プログラム記憶装置、通信制限方法および電話帳の更新方法によれば、電池残量が低下している場合には、スケジュールに関係のない通信相手との通信を抑制することで、低消費電力化および待ち受け時間の長時間化を図るとともに、スケジュールに関係する重要な通信の逸機を抑制することが可能となる。
【図面の簡単な説明】
【００２９】
【図１】本発明の実施形態における移動通信端末装置の実施例の構成を示す図
【図２】電話帳の構成を模式的にテーブル形式で示した図
【図３】スケジューラの構成を模式的にテーブル形式で示した図
【図４】電話帳に登録された各通信相手のプライオリティ情報が、スケジュールと連動して、動的に変化していく様子の一例を模式的に示した図
【図５】電池残量とプライオリティ情報に基づく通信制限の条件の一例を示す図
【図６】電池残量とプライオリティ情報に基づく通信制限の条件を発信と着信に分けて定めた場合の一例を示す図
【図７】電池残量とプライオリティ情報に基づく通信制限の条件を受信電界レベル毎に定めた場合の一例を示す図
【図８】スケジューラに登録されたスケジュールに基づき、該当するスケジュールに参加する通信相手のプライオリティ情報を、適時更新する処理の流れを示すフローチャート
【図９】使用者が電話帳に登録された通信相手の中から、いずれかを選択し発信要求をした場合に、発信先のプライオリティ情報と電池残量に基づき、通信制限を行う処理の流れを示すフローチャート
【図１０】電話帳に登録された通信相手から着信があった場合に、プライオリティ情報と電池残量に基づき、通信制限を行う処理の流れを示すフローチャート
【発明を実施するための形態】
【００３０】
以下、本発明の好適な実施の形態について図面を参照しながら詳細に説明する。
【００３１】
図１は本発明の実施形態における移動通信端末装置の構成例を示すブロック図である。図１において、１０１はアンテナ、１０２はアンテナ１０１を介して移動通信端末装置と基地局との無線通信を行う送受信部、１０３は通信制御信号および通信データを扱い、変調や復調、発信や着信に必要なデータ処理などを行う通信データ処理部、１０４は表示部、１０５は使用者が移動通信端末装置の操作を行うための操作部、１０６は日時の管理やタイマー機能を提供するＲＴＣ（Ｒｅａｌ  Ｔｉｍｅ  Ｃｌｏｃｋ）、１０７は各構成要素を制御する、マイクロプロセッサとプログラム記憶部からなる制御部、１０８は電話帳、スケジュール等の各種データが格納されるメモリ、１０９は着信があったことを鳴音や振動などで報知する着信報知部、１１０は電池電圧検知部、１１１は各構成要素間の信号を受け渡すインタフェースである。ここで、制御部１０７に含まれるプログラム記憶部には、マイクロプロセッサを各構成要素に対して様々な制御を行う制御部として機能させるためのプログラムなどが格納されている。
【００３２】
図２は、メモリ１０８に格納される電話帳の構成を模式的にテーブル形式で示したものである。電話帳には、使用者による指示操作により、通信相手毎に「名前」「電話番号」「メールアドレス」「属性」などの個人情報に加えて、通信の優先順位を表すプライオリティ情報を登録することができる。なお、図には示していないが、さらに、住所、誕生日、趣味、星座を登録するように構成しても差し支えない。また、前記プライオリティ情報は、スケジューラに登録されたスケジュールの日時と現在時刻に基づき、適時動的に更新される。また使用者が指定することで、例えば家族は常時プライオリティを高くするなど、特定の通信相手あるいは特定の属性についてスケジュールに関係なく、プライオリティ情報を固定できるようにしてもよい。
【００３３】
図３は、同じくメモリ１０８に格納されるスケジューラの構成を模式的にテーブル形式で示したものである。スケジューラには、スケジュールの開始時刻、終了時刻、内容、参加者を登録できることができる。登録Ｎｏ．００４のように、参加者として電話帳にて登録した「属性」を指定することができるようにしてもよい。
【００３４】
図４は、電話帳に登録された各通信相手のプライオリティ情報が、図３に示したスケジュールと連動して、動的に変化していく様子の一例を模式的に示したものである。
【００３５】
以下、図４を参照して、本発明の実施形態における電話帳の更新方法について説明する。
【００３６】
まず、Ｎｏ．００１に示す「松下 太郎」に注目する。松下太郎は移動通信端末装置の使用者の勤務先上司であり、属性は会社として登録されている。
【００３７】
松下太郎が参加するこの日のスケジュールは、図３に示す通り、開始時刻８：００の業務打合せと開始時刻１３：３０の新商品検討会議のふたつである。ひとつ目のスケジュールの業務打合せの開始時刻１時間前に当たる７：００において、プライオリティ情報は「ＡＡＡ」であり、開始時刻の８：００には最高レベルの「Ｓ」に至る。終了時刻の９：００を過ぎると徐々にプライオリティ情報は低下していき、１１：００には一旦「ＡＡ」に至る。
【００３８】
続いて、ふたつ目のスケジュールである新商品検討会議の開始時刻１３：３０に近づくに連れて、再びプライオリティ情報は上昇に転じ、１３：００には再び「Ｓ」に至る。この新商品検討会議の参加者は属性会社で登録されているため、同じ属性で登録されている、Ｎｏ．００２に示す会社同僚「鈴木茂」についても同様の変化を示している。新商品検討会議の終了時刻まで、レベル「Ｓ」を維持し終了時刻を過ぎると徐々に低下し、１７：００には最低レベルの「Ｂ」に至る。これ以降は参加登録されたスケジュールがないために、プライオリティ情報は「Ｂ」の状態を保つ。「鈴木茂」については、開始時刻８：００の業務打合せから、終了時刻１７：３０の新商品検討会議まで、昼食の時間を除いて移動通信端末装置の使用者と行動をともにするために、プライオリティ情報は１７：３０まで常時高い状態を保っている。
【００３９】
同様にして、取引先担当者である「高橋 進」については、開始時刻９：３０の商談を中心に、恋人である「小林 恵子」については開始時刻１２：３０の昼食を中心に、友人である「田中実」については開始時刻１９：００の飲み会を中心に、プライオリティ情報が最高レベルである「Ｓ」に到達するように、適時動的に更新がなされている。
【００４０】
また、家族である「吉田 誠」については、スケジューラに登録されているスケジュールとは無関係に、常時プライオリティ情報が「ＡＡＡ」に固定されている。これは使用者がスケジュールに関係なく、プライオリティ情報を固定するように設定したことによる。
【００４１】
以上、簡単のため、スケジュールの開始時刻および終了時刻を基準に、１時間毎にプライオリティ情報が１段階変化する例をもって説明したが、電話帳に登録された通信相手のプライオリティ情報を、参加するスケジュールの開始時刻に近づくにつれてランクを上げるように更新し、参加するスケジュールの終了時刻を過ぎるにつれてランクを下げるように更新する点が肝要であり、本実施形態は、プライオリティ情報を更新する周期や変化量を限定するものではない。
【００４２】
図５は、プライオリティ情報と電池残量に基づく通信制限の条件の一例を示すものである。
【００４３】
以下図１乃至図５を参照して、本発明の実施形態における移動通信端末装置、通信制限プログラム、プログラム記憶装置および通信制限方法について説明する。
【００４４】
使用者が操作部１０５を操作することでメモリ１０８に格納されている電話帳を読み出し、登録された通信相手の中からいずれかを選択し、その通信相手に発信要求をした場合において、制御部１０７は、選択された通信相手のプライオリティ情報を電話帳から参照するとともに、電池電圧検知部１１０を介して検知した電池電圧から電池残量を算定し、図５に示す通信制限条件と照合する。照合の結果、条件に合致した場合には、発信動作を行わないよう、送受信部１０２、通信データ処理部１０３の動作を制限するよう制御を行う。
【００４５】
また、メモリ１０８に格納されている電話帳に登録された通信相手からの着信があった場合には、通信相手のプライオリティ情報を電話帳から参照するとともに、電池電圧検知部１１０を介して検知した電池電圧から電池残量を算定し、図５に示す通信制限条件と照合する。照合の結果、条件に合致した場合には、着信応答動作を行わないよう、通信データ処理部１０３および着信報知部１０９の動作を制限するよう制御を行う。ここで参照する通信相手のプライオリティ情報は前述の通り、使用者がスケジューラに登録したスケジュールに応じて、適時動的に更新されている。このため、電池残量が減少している場合には、スケジュールに関係のない通信相手との通信が制限されることで、電池の消耗を抑制する結果となり、待ち受け時間の長時間化を図るとともに、スケジュールに関係する重要な通信の逸機を抑制することができる。
【００４６】
なお、簡単のため、図５では電池残量を３段階として示したが、さらに高分解能に区分するようにしてもよい。また、簡単のため、図５ではプライオリティ情報と電池残量から、一義的に通信制限条件が決定されるように示したが、それぞれ個別に条件を設定し、いずれかの条件を満たした場合に、通信制限を行うように構成してもよい。
【００４７】
図６は、電池残量とプライオリティ情報に基づく通信制限の条件を発信と着信に分けて定めた場合の一例を示すものである。例えば、公衆電話を使うなど使用者の裁量で他の手段にて通信をコントロールできる発信については、着信よりも制限を厳しく設定するなどのきめ細かな制御を行うことで電池の消耗を抑制する効果を高めることができることから、このように送信、受信を分けて条件を定めるようにしてもよい。
【００４８】
図７は、電池残量とプライオリティ情報に基づく通信制限の条件を受信電界レベル毎に定めた場合の一例を示すものである。移動通信端末装置に高い送信電力が求められ電池の消耗が大きい弱電界下では、条件をさらに厳しく設定するなどのきめ細かな制御を行うことで、電池の消耗を抑制する効果を高めることができることから、このように受信電界レベルに応じて条件を定めるようにしてもよい。簡単のため、図７では受信電界レベルを３段階として示したが、さらに高分解能に区分するようにしてもよい。
【００４９】
次に、本発明の実施形態における移動通信端末装置が、スケジューラに登録されたスケジュールに基づき、該当するスケジュールに参加する通信相手のプライオリティ情報を適時更新する処理の流れを、図８に示すフローチャートを参照し説明する。
【００５０】
まず、現在時刻と登録されているスケジュールの開始時刻との照合を行う（Ｓ１）。現在時刻が登録されているスケジュールの開始時刻を過ぎていなければ（Ｓ２のＮｏ）、開始時刻までの時間を計時する（Ｓ３）。計時した時間が設定時間内であれば（Ｓ３のＹｅｓ）、そのスケジュールの参加メンバーのプライオリティ情報のランクを上げる（Ｓ４）。
【００５１】
現在時刻が登録されているスケジュールの開始時刻を過ぎている場合（Ｓ２のＹｅｓ）、あるいは過ぎていなくても開始時刻までの時間が設定時間外の場合（Ｓ３のＮｏ）にはプライオリティ情報の更新は行わない。プライオリティ情報の更新完了、あるいは更新を行わない場合には次のステップに移行する。
【００５２】
次のステップでは、現在時刻と登録されているスケジュールの終了時刻との照合を行う（Ｓ５）。現在時刻が登録されているスケジュールの終了時刻を過ぎていれば（Ｓ５のＹｅｓ）、終了時刻からの経過時間を計時する（Ｓ６）。計時した時間が設定時間内であれば（Ｓ６のＹｅｓ）、そのスケジュールの参加メンバーのプライオリティ情報のランクを下げる（Ｓ８）。
【００５３】
現在時刻が登録されているスケジュールの開始時刻を過ぎていない場合（Ｓ５のＮｏ）、あるいは過ぎていなくても終了時刻からの経過時間が設定時間外の場合（Ｓ７のＮｏ）にはプライオリティ情報の更新は行わない。プライオリティ情報の更新完了、あるいは更新を行わない場合には処理を終了する。電話帳に登録された通信相手のプライオリティ情報を、参加するスケジュールの開始時刻に近づくにつれてランクを上げるように更新し、参加するスケジュールの終了時刻を過ぎるにつれてランクを下げるように更新する点が肝要であり、本実施形態は、本処理を実行する周期、プライオリティ情報を更新する周期および変化量を限定するものではない。
【００５４】
次に、本発明の実施形態における移動通信端末装置が、使用者が電話帳に登録された通信相手の中から、いずれかを選択し発信要求をした場合に、発信先のプライオリティ情報と電池残量に基づき、通信制限を行う処理の流れを、図９に示すフローチャートを参照し説明する。
【００５５】
まず、使用者が電話帳に登録された通信相手の中から、いずれかを選択し、その通信相手に発信要求をした場合には、電池残量の算出と電話帳から発信先のプライオリティ情報の確認を行う（Ｓ１１）。次に算出した電池残量とプライオリティ情報を、予め定めてある発信制限条件と照合する（Ｓ１２）。ここで発信制限の条件に合う場合には（Ｓ１３のＹｅｓ）、発信動作をせずに（ステップ１４）処理を終了する。
【００５６】
一方、発信制限の条件に合わない場合には（Ｓ１３のＮｏ）、通常の発信動作を行う（Ｓ１５）。ここで参照する発信先のプライオリティ情報は前述の通り、使用者がスケジューラに登録したスケジュールに応じて、適時動的に更新されている。このため、電池残量が減少している場合には、スケジュールに関係のない通信相手との通信が制限されることで、電池の消耗を抑制する結果となり、待ち受け時間の長時間化を図るとともに、スケジュールに関係する重要な通信の逸機を抑制することができる。
【００５７】
次に、本発明の実施形態における移動通信端末装置が、電話帳に登録された通信相手から着信があった場合に、プライオリティ情報と電池残量に基づき、通信制限を行う処理の流れを、図１０に示すフローチャートを参照し説明する。まず、電話帳に登録された通信相手からの着信があった場合には、電池残量の算出と電話帳から発信元のプライオリティ情報の確認を行う（Ｓ２１）。次に算出した電池残量とプライオリティ情報を、予め定めてある着信制限条件と照合する（Ｓ２２）。ここで着信制限の条件に合う場合には（Ｓ２３のＹｅｓ）、着信応答動作をせずに（ステップ２４）処理を終了する。
【００５８】
一方、着信制限の条件に合わない場合には（Ｓ２３のＮｏ）、通常の着信応答動作を行い通信を確立する（Ｓ２５）。ここで参照する発信元のプライオリティ情報は前述の通り、使用者がスケジューラに登録したスケジュールに応じて、適時動的に更新されている。このため、電池残量が減少している場合には、スケジュールに関係のない通信相手との通信が制限されることで、電池の消耗を抑制する結果となり、待ち受け時間の長時間化を図るとともに、スケジュールに関係する重要な通信の逸機を抑制することができる。
【００５９】
なお、本発明は、前述の実施形態そのままに限定されるものではなく、実施段階ではその要旨を逸脱しない範囲で構成要素を変形して具体化できる。また、前述の実施形態に開示されている複数の構成要素の適宜な組み合せにより種々の実施形態を形成できる。例えば、実施形態に示される全構成要素から幾つかの構成要素を削除してもよい。さらに、異なる実施形態にわたる構成要素を適宜組み合せてもよい。
【産業上の利用可能性】
【００６０】
本発明は、携帯電話、ＰＤＡ、携帯ゲーム、携帯ＴＶ等の移動通信端末装置に有用である。
【符号の説明】
【００６１】
１０１    アンテナ
１０２    送受信部
１０３    通信データ処理部
１０４    表示部
１０５    操作部
１０６    ＲＴＣ
１０７    制御部
１０８    メモリ
１０９    着信報知部
１１０    電池電圧検知部
１１１    インタフェース
【図１】
2010263537.tif 000003
【図２】
2010263537.tif 000004
【図３】
2010263537.tif 000005
【図４】
2010263537.tif 000006
【図５】
2010263537.tif 000007
【図６】
2010263537.tif 000008
【図７】
2010263537.tif 000009
【図８】
2010263537.tif 000010
【図９】
2010263537.tif 000011
【図１０】
2010263537.tif 000012